(57)【要約】【課題】マージナルパンチ穴を有する小型伝票と同様に整理保存することができると共に、印字の内容がなくなってしまうことのない小型伝票を発行するためのロール紙を提供する。【解決手段】幅方向の一方の側縁に沿って長さ方向に所定の間隔を有して設けられた複数の綴じ穴用カットを備えている。このカットは少なくとも２本のカット線によりそれぞれ構成される。カット線はそれぞれの中間部位において相互に交差し、少なくとも各カット線の前記一方の側縁に近接する側の端部間を繋ぐ線は前記一方の側縁と実質的に平行となるように形成される。【選択図】　　図１
2004086685.tif 000002
【特許請求の範囲】
【請求項１】
幅方向の一方の側縁に沿って長さ方向に所定の間隔を有して設けられた複数の綴じ穴用カットを備え、前記カットは少なくとも２本のカット線によりそれぞれ構成され、前記カット線はそれぞれの中間部位において相互に交差し、少なくとも各カット線の前記一方の側縁に近接する側の端部間を繋ぐ線は前記一方の側縁と実質的に平行となるように形成される、ロール紙。
【請求項２】
前記カットの各々は２本のカット線の各端部間を繋ぐ線により画定される方形部分はその内部に綴じピンを収納できるよう大きさに選定される、請求項１に記載のロール紙。
【発明の詳細な説明】
【０００１】
【発明の属する技術分野】
本発明は、レシートや伝票等として使用されるロール紙に関するものである。
【０００２】
【従来の技術】
ロール紙は、店舗のレジ等で発行されるレシートやポイントサービス案内等のような小型伝票を発行するための用紙として広範に利用されている。この種のロール紙には、コンピューター用連続用紙に設けられているようなマージナルパンチ穴がなく、一般的に、ロール紙の幅一杯に印字されている。このため、発行された小型伝票を整理保存する場合、パンチ等で穴あけすると、穴が印字部分に掛かって読めなくなってしまうため、単に重ねてクリップや輪ゴムで纏めたり、箱に入れたり、適当な用紙に糊等で貼り付ける等の方法が取られていた。
【０００３】
しかしながら、このような整理保存方法では、クリップや輪ゴムが外れて伝票が散逸したり、箱の中で伝票の位置が移動して順序が乱れたりし易く、また、用紙への貼付け作業を必要とする等、余分な時間と手間隙を必要とするものであった。
【０００４】
【発明が解決しようとする課題】
本発明は、例えば、最近のガソリンスタンドで購買時に発行される領収書や納品書におけるような、マージナルパンチ穴を有する小型伝票と同様に整理保存することができると共に、印字の内容がなくなってしまうことのない小型伝票を発行するためのロール紙を提供することを目的とするものである。
【０００５】
【課題を解決するための手段】
本発明によるロール紙は、幅方向の一方の側縁に沿って長さ方向に所定の間隔を有して設けられた複数の綴じ穴用カットを備えている。このカットは少なくとも２本のカット線によりそれぞれ構成される。カット線はそれぞれの中間部位において相互に交差し、少なくとも各カット線の前記一方の側縁に近接する側の端部間を繋ぐ線は前記一方の側縁と実質的に平行となるように形成される。
【０００６】
本ロール紙から形成されたレシート等の小型伝票は、カットの部位を状差し等のピンに差し込んだり、カットの部位に綴じ紐を挿通して綴じる等することにより整理され、保存される。ピンをカットの部位に差し込んだとき、各カット線の端部間を繋ぐ線に沿って曲げられる。このとき、ロール紙の一側縁に近接する側の端部間を繋ぐ線が該側縁と実質的に平行であるため、カットの端部から破れてピン保持機能を喪失してしまうのを防止する。また、カット間の間隔を、マージナルパンチ穴を有する小型伝票の穴間隔と同じに設定することで、穴付き小型伝票用のホルダ等をそのまま使用することができる。
【０００７】
また、本発明によるロール紙は、２本のカット線の各端部間を繋ぐ線により画定される方形部分の大きさを、その内部に綴じピンを収納できるよう大きさに選定することもできる。これにより、ピンをカットの部位に差し込むときにカットの端部から破れる可能性を最小限にすることができ、ピン保持機能の喪失の恐れをより積極的に防止する。
【０００８】
【発明の実施の形態】
本発明の実施例によるロール紙１は、図１に示すように、所定の幅Ｗを有する連続用紙をロール状に巻いたものである。ロール紙１には、図２により明瞭に示されるように、幅Ｗの方向における一方の側縁Ｓに沿って、長さ方向に所定の間隔Ｄを有して設けられた複数の綴じ穴用のカット２を備えている。
【０００９】
各カット２は、図３により明瞭に示されるように、少なくとも２本（図示の場合、２本）のカット線２ａ，２ｂにより構成される。カット線２ａ，２ｂはそれぞれの中間部位において相互に交差しており、少なくとも側縁Ｓに近接する側の各端部３ａ，３ｂを繋ぐ線Ｌ１は、側縁Ｓと実質的に平行となるように形成されている。カット線２ａ，２ｂの各々の各端部３ａ，３ｂ，３ｃ，３ｄ間を繋ぐ線Ｌ１，Ｌ２，Ｌ３，Ｌ４により画定される方形部分は、状差し等の綴じピン４をその内部に無理なく収納できるような大きさに選定されている。ここにおいて、繋ぐ線Ｌ１が側縁Ｓと実質的に平行となるように形成することは、カット２に綴じピン４を挿入したとき、カット２の部分の紙は線Ｌ１に沿って確実に曲げられるため、カットの端部３ａまたは３ｂから側縁Ｓへと破れてしまい、綴じ穴としての機能を喪失してしまうのを効果的に回避できることに注目されたい。
【００１０】
カット線２ａ，２ｂのカット形状は、基本的に直線であるが、カットの形成時に２本の直線が交差する部位において切込みが不十分となって綴じピン４の挿入ができなくなる傾向にある。このような不十分な切込みを避けるには、図４の（Ａ）および（Ｂ）に例示するように、各カット線２ａ，２ｂを小さな波形またはジグザグ状に形成したり（図４の（Ａ）参照）、カット線２ａ，２ｂの交差部位に小さな穴５を形成したり（図４の（Ｂ）参照）することによっても対応することができる。
【００１１】
【発明の効果】
本発明によれば、複数の綴じ穴用のカット２がロール紙１の側縁Ｓに沿って所定の間隔Ｄで設けられているため、ロール紙から切り離さされて形成された小型伝票を整理、保管する際に、綴じピン４或いは綴じ紐をカット２に挿入することにより纏めることができるだけでなく、穴あけによる欠損部分がロール紙１にないため、必要に応じて、カット２の部分を元の形態に戻すことができる。これにより、ロール紙１の幅一杯に印字が行われている場合であっても、その印字内容が失われてしまうことはなく、随意に印字内容の確認を行うことができる。
【００１２】
また、カット線２ａ，２ｂの各端部間を繋ぐ線により画定される方形部分が綴じピン４をその内部に無理なく収納できるような大きさに選定されていることにより、綴じピン４の挿入時にカット線２ａ，２ｂの部分が切り離されるだけであり、カットの端部から更に破かれてしまうのを効果的に回避することができる。加えて、カット線２ａ，２ｂの側縁Ｓ側の端部間を繋ぐ線が側縁Ｓと平行となるように形成されていることにより、カットの端部から側縁Ｓへ破けてしまうのをより効果的に回避することができる。更に、カット線２ａ，２ｂを小さな波形またはジグザグ状に形成したり、交差部位に小さな穴を形成したりすることにより、カットの作成時に切込みが不十分となって綴じピン４の挿入ができなくなるのを避けることができる。
【図面の簡単な説明】
【図１】本発明の実施例によるロール紙を示す斜視図である。
【図２】図１に示すロール紙を展張した状態の部分拡大図である。
【図３】ロール紙に形成されるカットを説明するための図である。
【図４】カットの２つの変形例を示す図３と同様な図である。
【符号の説明】
１　　ロール紙
２　　カット
２ａ，２ｂ　　カット線
３ａ，３ｂ，３ｃ，３ｄ　　端部
４　　綴じピン
５　　穴
Ｄ　　間隔
Ｌ１，Ｌ２，Ｌ３，Ｌ４　　線
Ｓ　　側縁
Ｗ　　幅
【図１】
2004086685.tif 000003
【図２】
2004086685.tif 000004
【図３】
2004086685.tif 000005
【図４】
2004086685.tif 000006